(57)【要約】【課題】ピッチを狭くしても隣接する平板状の端子部材同士が接触する恐れがなく、かつ、端子部材と配線とが干渉する恐れもなく、製造が容易で、構成が簡素でコストが低く、高密度でありながら、信頼性が高くなるようにする。【解決手段】第１コネクタの各端子部材は突出端子を含み、第２コネクタの各端子部材は突出端子を収容可能な開口部を含み、端子部材は、本体部の幅方向に一定のピッチで並んで複数の列を形成し、隣接する列の端子部材とは幅方向の位置がずれるように配列され、第１コネクタ又は第２コネクタの少なくとも一方の端子部材は、本体部において端子部材とは相違する層に配設された複数の平行な配線の先端に接続される。【選択図】図１
2013251093.tif 000002
【特許請求の範囲】
【請求項１】
（ａ）平板状の本体部及び該本体部に配設された複数の平板状の端子部材を備える第１コネクタと、平板状の本体部及び該本体部に配設された複数の平板状の端子部材を備え、前記第１コネクタと嵌合する第２コネクタとを有するコネクタであって、
（ｂ）前記第１コネクタの各端子部材は突出端子を含み、前記第２コネクタの各端子部材は前記突出端子を収容可能な開口部を含み、
（ｃ）前記端子部材は、前記本体部の幅方向に一定のピッチで並んで複数の列を形成し、隣接する列の端子部材とは前記幅方向の位置がずれるように配列され、
（ｄ）前記第１コネクタ又は第２コネクタの少なくとも一方の端子部材は、前記本体部において前記端子部材とは相違する層に配設された複数の平行な配線の先端に接続されることを特徴とするコネクタ。
【請求項２】
前記配線は前記本体部の前後方向に延在し、前方の列の端子部材に接続された配線は、平面視において、後方の列の互いに隣接する端子部材同士の間を通過する請求項１に記載のコネクタ。
【請求項３】
前記配線の先端に接続される端子部材が配設された層と、前記配線が配設された層との間には、少なくとも一つの絶縁層が存在する請求項１又は２に記載のコネクタ。
【請求項４】
前記配線の先端に接続される端子部材は、前記突出端子又は開口部よりも後方に形成された端子接続部を含み、前記配線は先端に形成された配線接続部を含み、前記端子接続部と配線接続部とは前記絶縁層を貫通する導通部材によって接続される請求項３に記載のコネクタ。
【請求項５】
前記列は２本であり、前方の列の端子部材と後方の列の端子部材とは、前記本体部の幅方向に半ピッチずれるように配列される請求項１〜４のいずれか１項に記載のコネクタ。
【請求項６】
前方の列の端子部材に接続された配線は、平面視において、後方の列の互いに隣接する端子部材同士の間を通過するとともに、後方の列の端子部材の一部分とオーバーラップする請求項５に記載のコネクタ。
【発明の詳細な説明】
【技術分野】
【０００１】
本発明は、コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ：個人用携帯情報端末）、デジタルカメラ、ビデオカメラ、音楽プレーヤ、ゲーム機、車両用ナビゲーション装置等の電子機器においては、装置や部品の小型化及び高性能化に対応するために、コネクタについても、小型化及び高密度化が要求されている。そこで、絶縁フィルム基板上に複数の導体パターンを形成して、それらの導体パターンの端部を他の基板等に接続するコネクタが提案されている（例えば、特許文献１参照。）。
【０００３】
図１７は従来のコネクタが相手方コネクタと嵌合した状態の平面図である。
【０００４】
図において、９１１は、雌コネクタの基体としての雌側基体であり、図示されない一方の回路基板の表面に装着される。また、８１１は、雄コネクタの基体としての雄側基体であり、図示されない他方の回路基板の表面に装着される。
【０００５】
そして、前記雌側基体９１１には、該雌側基体９１１の表裏面を貫通する端子収容開口９５４が形成され、該端子収容開口９５４内には、複数の雌側電極パターン９５１が所定の間隔で横方向に並んで配設されている。
【０００６】
前記雌側電極パターン９５１の各々は、雌側基体９１１の外側にまで延在するテール部９５８を備え、該テール部９５８が、一方の回路基板の表面に形成された電気回路の導電トレースの各々に電気的に接続されている。また、前記雌側電極パターン９５１の各々は、内側開口９５４ａ、及び、該内側開口９５４ａの周囲を画定する腕部９５３を備える。さらに、前記内側開口９５４ａは、幅の狭い幅狭部分と該幅狭部分の両端近傍に形成された幅の広い幅広部分とを備える。
【０００７】
また、前記雄側基体８１１には、雄端子としての複数の突出端子８５３が所定の間隔で横方向に並んで配設されている。前記突出端子８５３の各々は、他方の回路基板の表面に形成された電気回路の導電トレースの各々に電気的に接続されている。
【０００８】
そして、雄コネクタは、嵌（かん）合工程の初期工程では、雌コネクタに対して該雌コネクタの厚さ方向（図面に垂直な方向）に移動させられて嵌合する。この際、雄側基体８１１の表面から突出する突出端子８５３は、前記内側開口９５４ａの幅広部分に進入する。続いて、前記雄コネクタが雌コネクタに対して図における縦方向に移動させられると、前記突出端子８５３は、前記内側開口９５４ａの幅狭部分内に移動する。これにより、雄コネクタと雌コネクタとの嵌合が完了する。
【０００９】
ここで、前記突出端子８５３は、直径が前記内側開口９５４ａの幅狭部分の幅より広く、かつ、幅広部分の内径よりも小さい程度の寸法に形成されている。したがって、雄コネクタと雌コネクタとの嵌合作業の初期工程では、突出端子８５３はスムーズに雌側電極パターン９５１の内側開口９５４ａに進入する。そして、突出端子８５３が幅狭部分内に移動すると、腕部９５３の間隔が突出端子８５３によって押広げられるので、該突出端子８５３は腕部９５３によって両側から挟込まれた状態となる。したがって、雄コネクタと雌コネクタとの嵌合が完了すると、突出端子８５３と雌側電極パターン９５１とが確実に接触して導通する。
【先行技術文献】
【特許文献】
【００１０】
【特許文献１】特開２００８−２７０１００号公報
【発明の概要】
【発明が解決しようとする課題】
【００１１】
しかしながら、前記従来のコネクタにおいては、小型高密度化の進展に伴って電極の配置密度を高くすることが困難である。これは、雌側電極パターン９５１の腕部９５３が雄側電極突起によって横方向に広げられるので、雌側電極パターン９５１のピッチ、すなわち、横方向の間隔を小さくすると、隣接する雌側電極パターン９５１の腕部９５３同士が接触する恐れがあるためである。もっとも、前記従来のコネクタでは、隣接する雌側電極パターン９５１の内側開口９５４ａの幅広部分及び幅狭部分の位置が縦方向にずれるように配設されているので、腕部９５３同士が接触する恐れが小さくなっている。しかしながら、一つの雌側電極パターン９５１の内側開口９５４ａの幅狭部分の横には、隣接する雌側電極パターン９５１の内側開口９５４ａの幅広部分が位置するので、横方向の間隔をさらに小さくすると、依然として、隣接する雌側電極パターン９５１の腕部９５３同士が接触する恐れがある。
【００１２】
本発明は、前記従来のコネクタの問題点を解決して、端子部材を、隣接する列の端子部材と幅方向の位置がずれるように配列するとともに、異なる層に配設された配線の先端に接続することによって、ピッチを狭くしても隣接する平板状の端子部材同士が接触する恐れがなく、かつ、端子部材と配線とが干渉する恐れもなく、製造が容易で、構成が簡素でコストが低く、高密度でありながら、信頼性の高いコネクタを提供することを目的とする。
【課題を解決するための手段】
【００１３】
そのために、本発明のコネクタにおいては、平板状の本体部及び該本体部に配設された複数の平板状の端子部材を備える第１コネクタと、平板状の本体部及び該本体部に配設された複数の平板状の端子部材を備え、前記第１コネクタと嵌合する第２コネクタとを有するコネクタであって、前記第１コネクタの各端子部材は突出端子を含み、前記第２コネクタの各端子部材は前記突出端子を収容可能な開口部を含み、前記端子部材は、前記本体部の幅方向に一定のピッチで並んで複数の列を形成し、隣接する列の端子部材とは前記幅方向の位置がずれるように配列され、前記第１コネクタ又は第２コネクタの少なくとも一方の端子部材は、前記本体部において前記端子部材とは相違する層に配設された複数の平行な配線の先端に接続される。
【００１４】
本発明の他のコネクタにおいては、さらに、前記配線は前記本体部の前後方向に延在し、前方の列の端子部材に接続された配線は、平面視において、後方の列の互いに隣接する端子部材同士の間を通過する。
【００１５】
本発明の更に他のコネクタにおいては、さらに、前記配線の先端に接続される端子部材が配設された層と、前記配線が配設された層との間には、少なくとも一つの絶縁層が存在する。
【００１６】
本発明の更に他のコネクタにおいては、さらに、前記配線の先端に接続される端子部材は、前記突出端子又は開口部よりも後方に形成された端子接続部を含み、前記配線は先端に形成された配線接続部を含み、前記端子接続部と配線接続部とは前記絶縁層を貫通する導通部材によって接続される。
【００１７】
本発明の更に他のコネクタにおいては、さらに、前記列は２本であり、前方の列の端子部材と後方の列の端子部材とは、前記本体部の幅方向に半ピッチずれるように配列される。
【００１８】
本発明の更に他のコネクタにおいては、さらに、前方の列の端子部材に接続された配線は、平面視において、後方の列の互いに隣接する端子部材同士の間を通過するとともに、後方の列の端子部材の一部分とオーバーラップする。
【発明の効果】
【００１９】
本発明によれば、コネクタは、端子部材を、隣接する列の端子部材と幅方向の位置がずれるように配列するとともに、異なる層に配設された配線の先端に接続するようになっている。これにより、ピッチを狭くしても隣接する平板状の端子部材同士が接触する恐れがなく、かつ、端子部材と配線とが干渉する恐れもなく、製造が容易で、構成が簡素でコストが低く、高密度でありながら、信頼性を高めることができる。
【図面の簡単な説明】
【００２０】
【図１】本発明の第１の実施の形態における雄コネクタを示す斜視図である。
【図２】本発明の第１の実施の形態における雄コネクタの層構造を示す分解図である。
【図３】本発明の第１の実施の形態における雌コネクタを示す斜視図である。
【図４】本発明の第１の実施の形態における雌コネクタの層構造を示す分解図である。
【図５】本発明の第１の実施の形態における雌コネクタの雌端子と配線との平面状の位置関係を示す図である。
【図６】本発明の第１の実施の形態における雌コネクタの雌端子と配線との接続関係を示す図であって、（ａ）は補強層を除去した接続部の下面の要部拡大図、（ｂ）は（ａ）におけるＡ−Ａ矢視断面図である。
【図７】本発明の第１の実施の形態における雄コネクタと雌コネクタとが嵌合した状態を示す斜視図である。
【図８】本発明の第１の実施の形態における雄コネクタの雄端子と雌コネクタの雌端子との接続状態を示す図であって、（ａ）は補強層を除去した雌コネクタ側の平面の要部拡大図、（ｂ）は（ａ）におけるＢ−Ｂ矢視断面図である。
【図９】本発明の第２の実施の形態における雌コネクタを示す斜視図である。
【図１０】本発明の第２の実施の形態における雌コネクタの層構造を示す分解図である。
【図１１】本発明の第２の実施の形態における雄コネクタを示す斜視図である。
【図１２】本発明の第２の実施の形態における雄コネクタの層構造を示す分解図である。
【図１３】本発明の第２の実施の形態における雄コネクタの雄端子と配線との平面状の位置関係を示す図である。
【図１４】本発明の第２の実施の形態における雄コネクタの雄端子と配線との接続関係を示す図であって、（ａ）は補強層を除去した接続部の下面の要部拡大図、（ｂ）は（ａ）におけるＣ−Ｃ矢視断面図である。
【図１５】本発明の第２の実施の形態における雄コネクタと雌コネクタとが嵌合した状態を示す斜視図である。
【図１６】本発明の第２の実施の形態における雄コネクタの雄端子と雌コネクタの雌端子との接続状態を示す図であって、（ａ）は補強層を除去した雄コネクタ側の平面の要部拡大図、（ｂ）は（ａ）におけるＤ−Ｄ矢視断面図である。
【図１７】従来のコネクタが相手方コネクタと嵌合した状態の平面図である。
【発明を実施するための形態】
【００２１】
以下、本発明の実施の形態について図面を参照しながら詳細に説明する。
【００２２】
図１は本発明の第１の実施の形態における雄コネクタを示す斜視図、図２は本発明の第１の実施の形態における雄コネクタの層構造を示す分解図である。
【００２３】
図において、１は本実施の形態におけるコネクタの一方である第１コネクタとしての雄コネクタであって、図示されない実装部材に実装されるコネクタであり、後述される第１コネクタとしての雌コネクタ１０１と電気的に接続される。
【００２４】
なお、前記実装部材は、例えば、電子機器等に使用されるプリント回路基板、フレキシブルフラットケーブル（ＦＦＣ：Ｆｌｅｘｉｂｌｅ  Ｆｌａｔ  Ｃａｂｌｅ）、フレキシブル回路基板（ＦＰＣ：Ｆｌｅｘｉｂｌｅ  Ｐｒｉｎｔｅｄ  Ｃｉｒｃｕｉｔ）等であるが、必ずしも基板に限定されるものでなく、いかなる種類のものであってもよい。なお、ここでは、基板であるものとして説明する。
【００２５】
本実施の形態において、雄コネクタ１、雌コネクタ１０１及びその他の部材に含まれる各部の構成及び動作を説明するために使用される上、下、左、右、前、後等の方向を示す表現は、絶対的なものでなく相対的なものであり、雄コネクタ１、雌コネクタ１０１及びその他の部材に含まれる各部が図に示される姿勢である場合に適切であるが、雄コネクタ１、雌コネクタ１０１及びその他の部材に含まれる各部の姿勢が変化した場合には、姿勢の変化に応じて変更して解釈されるべきものである。
【００２６】
そして、前記雄コネクタ１は、平面形状が矩（く）形の平板状の本体部１１を有する。該本体部１１は、実装面側（図１及び２における下側）から平坦（たん）な薄板部材である板状の補強板部としての補強層１６、細長い帯状の形状を備える絶縁性の薄板部材である板状の第２基板部である雄基板部としてのベースフィルム１５、及び、該ベースフィルム１５の一面（嵌合面側の面）に配設された平板状の端子部材である雄導体としての複数の導体パターン５１を有する。該導体パターン５１は、パターン分離空間５２によって互いに分離されている。なお、前記本体部１１は、厚さ方向の寸法が約０．３〜０．５〔ｍｍ〕程度であるが、その寸法は適宜変更することができる。
【００２７】
前記ベースフィルム１５は、例えば、ポリイミド等の樹脂から成るが、絶縁性を備えるものであれば、いかなる種類の材質であってもよい。また、前記ベースフィルム１５の他面（実装面側の面）には、平坦な薄板部材である板状の補強板部としての補強層１６が配設されている。該補強層１６は、例えば、ステンレス鋼等の金属から成るが、その材質は、樹脂であってもよいし、ガラス繊維、炭素繊維等を含む複合材であってもよいし、いかなる種類のものであってもよい。
【００２８】
そして、前記導体パターン５１は、例えば、あらかじめベースフィルム１５の一面に貼（てん）付された厚さが数〔μｍ〕〜数１０〔μｍ〕の銅箔（はく）にエッチング加工等を施してパターニングすることによって形成されたものであって、雄コネクタ１の横方向（幅方向）である本体部１１の長手方向に延在する前端１１ａ及び後端１１ｂに沿った２本の互いに分離した列を形成するように並んで配設され、各列内における隣接する導体パターン５１同士は、互いに分離され、所定のピッチで配列されている。
【００２９】
また、前端１１ａに沿った列と後端１１ｂに沿った列とは、本体部１１の長手方向に関し、前記ピッチの１／２だけずれるように配設されている。すなわち、前端１１ａに沿った列内における導体パターン５１と後端１１ｂに沿った列内における導体パターン５１とは、雄コネクタ１の横方向（幅方向）に関し、互いに半ピッチずれて千鳥状となるように配列されている。
【００３０】
各導体パターン５１は、並列に配設された平板状の端子部材であって、本体部１１の嵌合面に露出するとともに、雄端子としての突出端子５３を１本ずつ備える。なお、図に示される例において、導体パターン５１及び突出端子５３は、本体部１１の幅方向に延在する列を２本形成するように、所定のピッチ、例えば、０．４〔ｍｍ〕程度で、並んで配設されているが、導体パターン５１及び突出端子５３の数、ピッチその他配列の態様は、図に示される例に限定されるものではなく、任意に変更することができる。
【００３１】
前記突出端子５３の各々は、導体パターン５１の表面から突出する部材であり、例えば、フォトリソグラフィ技術を利用したエッチング等の方法によって、導体パターン５１と一体的に形成されている。なお、前記突出端子５３の高さ方向の寸法は、例えば、０．１〜０．３〔ｍｍ〕程度であるが、適宜変更することができる。
【００３２】
また、前記突出端子５３の上面及び横断面の形状は、幅方向の寸法よりも前後方向の寸法の方が大きいことが望ましい。さらに、前方が尖（とが）った野球のホームベースのような五角形又は六角形、すなわち、前方に傾斜部を備える形状であることがより望ましい。しかしながら、必ずしもこのような形状に限定されるものではなく、円形や楕（だ）円形であってもよく、任意に変更することができる。
【００３３】
本実施の形態において、前記突出端子５３の側面形状は、図１に示されるように凹面となっていることが望ましい。具体的は、突出端子５３において、導体パターン５１の表面に接続されている部分である基端部５３ａの幅寸法は、上端部である先端部５３ｂの幅寸法以上であり、基端部５３ａと先端部５３ｂとの間の側面部５３ｃは、基端部５３ａ及び先端部５３ｂよりもその幅方向内側に向けて凹入するような形状の滑らかでスムーズな面となっている。なお、前記側面部５３ｃの形状は、緩やかに連続した曲面であることが望ましいが、複数の斜面が連続した屈曲面であってもよい。
【００３４】
また、各導体パターン５１は、ベースフィルム１５の他面（実装面側の面）に配設された対応する図示されない実装パターンに、例えば、ベースフィルム１５に形成されたスルーホール等を介して、電気的に接続されている。そして、各実装パターンは、実装部材としての基板の表面に形成された接続パッドにはんだ付等によって接続される。これにより、雄コネクタ１は基板に取付けられ、かつ、導体パターン５１及び突出端子５３は基板の接続パッドと電気的に接続された状態となる。なお、前記実装パターンに代えて、例えば、各導体パターン５１に、本体部１１の短手方向に延出し、ベースフィルム１５よりも外側に突出するようなテール部を形成し、該テール部を基板の接続パッドに接続するようにしてもよい。
【００３５】
また、前記導体パターン５１の側方には、補助金具５６が配設されている。該補助金具５６は、例えば、前記導体パターン５１とともに、あらかじめベースフィルム１５の一面に貼付された厚さが数〔μｍ〕〜数１０〔μｍ〕の銅箔にエッチング加工等を施してパターニングすることによって形成されたものであって、本体部１１の短手方向に延在し、導体パターン５１から分離して本体部１１の長手方向両端に配設されている。
【００３６】
各補助金具５６には、後述する雌コネクタ１０１のコネクタ係合耳部１１３が進入する凹入部５６ａと、本体部１１の長手方向外方向に延出する固定用耳部５６ｂが形成されている。そして、前記本体部１１の実装面においては、前記固定用耳部５６ｂの裏面が露出し、該露出した部分は、基板の表面に形成された固定用パッドにはんだ付等によって接続される。これにより、雄コネクタ１は基板に強固に取付けられる。
【００３７】
前記補助金具５６の表面（嵌合面側の面）には、平坦な板状の係合部としての係合補強板１８が配設されている。該係合補強板１８は、例えば、ステンレス鋼等の金属から成るが、その材質は、樹脂であってもよいし、ガラス繊維、炭素繊維等を含む複合材であってもよいし、いかなる種類のものであってもよい。また、各係合補強板１８には、雌コネクタ１０１のコネクタ係合耳部１１３が進入する入口凹部１８ａが形成されている。
【００３８】
そして、前記係合補強板１８は、接着剤等から成る接合層１８ｂを介して、補助金具５６の表面に接合されて固定される。この場合、入口凹部１８ａが凹入部５６ａに対応する位置に配設されるので、図１に示されるように、雌コネクタ１０１のコネクタ係合耳部１１３と係合するコネクタ係合凹部１３が形成される。なお、入口凹部１８ａの寸法が凹入部５６ａの寸法よりも小さいので、前記コネクタ係合凹部１３における本体部１１の前端１１ａ寄りの部分に、庇（ひさし）状の抜止め部１３ｂ、及び、該抜止め部１３ｂに覆われた抜止め凹部１３ａが形成される。
【００３９】
次に、雌コネクタ１０１の構成について説明する。
【００４０】
図３は本発明の第１の実施の形態における雌コネクタを示す斜視図、図４は本発明の第１の実施の形態における雌コネクタの層構造を示す分解図、図５は本発明の第１の実施の形態における雌コネクタの雌端子と配線との平面状の位置関係を示す図、図６は本発明の第１の実施の形態における雌コネクタの雌端子と配線との接続関係を示す図である。なお、図６において、（ａ）は補強層を除去した接続部の下面の要部拡大図、（ｂ）は（ａ）におけるＡ−Ａ矢視断面図である。
【００４１】
本実施の形態において、雌コネクタ１０１は、コネクタの他方としての第２コネクタであって、矩形状の平面形状を備え、その相手方コネクタである前記第１コネクタとしての雄コネクタ１と電気的に接続される。また、前記雌コネクタ１０１は、プリント回路基板、フレキシブルフラットケーブル、フレキシブル回路基板等の実装部材に実装されるものであってもよいが、ここでは、フレキシブルフラットケーブル、フレキシブル回路基板等の平板状ケーブルの先端に直接に形成されるもの、又は、接続部材を介して接続されるものであるとして説明する。
【００４２】
図に示される例において、雌コネクタ１０１は、平板状のケーブル部１１２と、該ケーブル部１１２の先端に形成又は接続された接続部としての平板状の本体部１１１とを有する。そして、該本体部１１１は、反嵌合面側（図３における下側）から、板状部材から成る補強板部としての補強層１１６、前記ケーブル部１１２と共通の絶縁性の薄板部材から成る板状の雌基板部である絶縁層としてのベースフィルム１１５、該ベースフィルム１１５の一面（図４における上面）に並列に配設された複数本の導電線としての配線１６１、前記ケーブル部１１２と共通の絶縁性の薄板部材から成り、前記配線１６１を被覆する板状の雌被覆部である絶縁層としてのカバーフィルム１１７、及び、平板状の端子部材である雌導体部としての複数の平板状端子１５１を有する。なお、ケーブル部１１２におけるベースフィルム１１５の他面（図４における下面）には、必要に応じてケーブル補強層１１２ａを配設することもできる。
【００４３】
前記平板状端子１５１は、略楕円乃至小判型の平面形状を有し、端子分離空間１５２によって互いに分離されている。また、前記配線１６１の各々は、平板状ケーブルの対応する導電トレースに電気的に接続されている。なお、前記本体部１１１は、厚さ方向の寸法が約０．３〜０．５〔ｍｍ〕程度であるが、その寸法は適宜変更することができる。
【００４４】
前記ベースフィルム１１５及びカバーフィルム１１７は、例えば、ポリイミド等の樹脂から成るが、絶縁性を備えるものであれば、いかなる種類の材質であってもよい。また、前記補強層１１６及びケーブル補強層１１２ａは、例えば、ステンレス鋼等の金属から成るが、その材質は、樹脂であってもよいし、ガラス繊維、炭素繊維等を含む複合材であってもよいし、いかなる種類のものであってもよい。
【００４５】
そして、前記配線１６１は、例えば、あらかじめベースフィルム１１５の一面に貼付された厚さが数〔μｍ〕〜数１０〔μｍ〕の銅箔にエッチング加工等を施してパターニングすることによって形成されたものであって、互いに平行となるように所定のピッチで配列されている。
【００４６】
また、前記平板状端子１５１は、例えば、あらかじめカバーフィルム１１７の一面に貼付された厚さが数〔μｍ〕〜数１０〔μｍ〕の銅箔にエッチング加工等を施してパターニングすることによって形成されたものであって、雌コネクタ１０１の横方向（幅方向）に延在する本体部１１１の前端１１１ａに沿った列とケーブル部１１２寄りの列とを形成するように並んで配設され、列同士及び各列内における隣接する平板状端子１５１同士は、互いに分離され、所定のピッチで配列されている。なお、該ピッチは、前記雄コネクタ１の導体パターン５１のピッチ及び配線１６１のピッチと等しくなるように設定される。
【００４７】
そして、前端１１１ａに沿った列とケーブル部１１２寄りの列とは、雌コネクタ１０１の横方向に関し、前記ピッチの１／２だけずれるように配設されている。すなわち、前端１１１ａに沿った列内における平板状端子１５１とケーブル部１１２寄りの列内における平板状端子１５１とは、雌コネクタ１０１の横方向に関し、互いに半ピッチずれて千鳥状となるように配列されている。
【００４８】
各平板状端子１５１は、図５に示されるように、略徳利状の平面形状を備える突出端子収容開口としての開口部１５４、該開口部１５４の左右両側を画定する第１端子部材としての腕部１５３、及び、端子接続部としての端子接続孔（こう）１５１ａを有するとともに、左右対称、すなわち、線対称の平面形状を有する。各平板状端子１５１の対称軸は、平面視において、対応する配線１６１の中心軸と一致し、端子接続孔１５１ａの中心も対応する配線１６１の中心軸上に位置する。なお、前記開口部１５４は、平板状端子１５１を板厚方向に貫通する。
【００４９】
また、前記開口部１５４は、略円形乃至卵形の大径部１５４ａと、該大径部１５４ａにおける本体部１１１の前端１１１ａ側に接続され、該前端１１１ａに向けて延在する通路状の小径部１５４ｂを含んでいる。前記開口部１５４は、平板状端子１５１が雄コネクタ１の突出端子５３と嵌合する際に、該突出端子５３が進入して収容される部分である。
【００５０】
そして、前記大径部１５４ａは、突出端子５３がその先端部５３ｂから進入する部分であり、その内側部分の寸法は、突出端子５３の先端部５３ｂの外側寸法よりも大きく形成されている。これにより、腕部１５３と突出端子５３とが嵌合する際に、突出端子５３は大径部１５４ａ内にスムーズに進入することができる。
【００５１】
また、前記小径部１５４ｂは、大径部１５４ａに進入した突出端子５３がスライドして移動してくる部分であり、その幅寸法は、突出端子５３の側面部５３ｃの径又は幅寸法と同程度又はやや小さく、かつ、先端部５３ｂの幅よりも小さな幅寸法となるように形成される。そのため、大径部１５４ａ内に収容された突出端子５３が小径部１５４ｂ内に相対的に移動する際に、両側の腕部１５３は、突出端子５３の側面部５３ｃに当接し、弾性的に変位させられ、その間隔が押広げられる。したがって、突出端子５３が腕部１５３の接圧を受けるので、突出端子５３と平板状端子１５１との導通が確実に維持される。
【００５２】
前記カバーフィルム１１７には、各平板状端子１５１の開口部１５４及び端子接続孔１５１ａに対応する位置に、端子対応開口１１７ａ及びスルーホール１１７ｂが形成されている。つまり、端子対応開口１１７ａ及びスルーホール１１７ｂは、平板状端子１５１と同様に、２本の列内において互いに半ピッチずれて千鳥状となるように配列されている。前記端子対応開口１１７ａ及びスルーホール１１７ｂは、カバーフィルム１１７を板厚方向に貫通する。また、前記端子対応開口１１７ａは、略楕円状又は長円状の平面形状を備え、開口部１５４よりは大きいが平板状端子１５１の外形よりは小さい程度の大きさに形成される。
【００５３】
また、各配線１６１の先端には、略円形の接続端部１６２が形成され、該接続端部１６２には配線接続部としての配線接続孔１６２ａが形成されている。該配線接続孔１６２ａは、その中心が配線１６１の中心軸上に位置し、配線１６１を板厚方向に貫通する。また、各配線１６１は、その配線接続孔１６２ａが対応する平板状端子１５１の端子接続孔１５１ａ及びカバーフィルム１１７のスルーホール１１７ｂに対応する位置となるように配設されている。
【００５４】
そして、カバーフィルム１１７の上面側、すなわち、嵌合側の第１番目の層に属する各平板状端子１５１の端子接続孔１５１ａは、図５及び６に示されるように、スルーホール１１７ｂを通過する導通部材１６８を介して、カバーフィルム１１７の下面側、すなわち、嵌合側の第３番目の層に属する対応する配線１６１の配線接続孔１６２ａと導通されている。つまり、平板状端子１５１と配線１６１とは、雌コネクタ１０１の相違する層上に配設され、導通部材１６８を介して、互いに電気的に接続されている。
【００５５】
前記導通部材１６８は、金属等の導電性の良好な材料から成る部材であって、端子接続孔１５１ａ及び配線接続孔１６２ａに電気的に接続される部材であれば、いかなる種類のものであってもよい。例えば、上下両端が端子接続孔１５１ａ及び配線接続孔１６２ａに圧着又は嵌合された円柱状の金属部材であってもよいし、溶融状態で端子接続孔１５１ａ、スルーホール１１７ｂ及び配線接続孔１６２ａ内に充填（てん）された後に冷却固化することによって上下両端が端子接続孔１５１ａ及び配線接続孔１６２ａに溶着した金属部材であってもよいし、あらかじめスルーホール１１７ｂの内面に塗布された後の加熱によるリフロー工程によって上下両端が端子接続孔１５１ａ及び配線接続孔１６２ａに溶着したはんだであってもよい。
【００５６】
また、前記配線１６１の接続端部１６２及び配線接続孔１６２ａは、２本の列内において互いに半ピッチずれて千鳥状となるように配列された平板状端子１５１に対応するように配列されている。したがって、前記配線１６１は、その先端である接続端部１６２が本体部１１１の前端１１１ａに近い位置にある長い配線１６１と、接続端部１６２が本体部１１１の前端１１１ａから遠い位置にある短い配線１６１とが交互に並ぶように、配列されている。そして、図５及び６に示されるように、長い配線１６１は、平面視において、ケーブル部１１２寄りの列における互いに隣接する平板状端子１５１同士の間を通過する。しかも、平板状端子１５１のピッチが狭いので、図に示される例においては、隣接する平板状端子１５１同士の間の距離よりも、配線１６１の幅が広くなっている。すなわち、平面視において、平板状端子１５１の側方部分の一部、具体的には、腕部１５３の一部が、配線１６１とオーバーラップしている。もっとも、平板状端子１５１と配線１６１とは雌コネクタ１０１の相違する層上に配設されているので、ケーブル部１１２寄りの列における平板状端子１５１と該平板状端子１５１の間を通る長い配線１６１とが導通することはない。
【００５７】
前記ベースフィルム１１５には、各平板状端子１５１の開口部１５４に対応する位置に、端子対応開口１１５ａが形成されている。つまり、端子対応開口１１５ａは、平板状端子１５１と同様に、２本の列内において互いに半ピッチずれて千鳥状となるように配列されている。前記端子対応開口１１５ａは、ベースフィルム１１５を板厚方向に貫通する。また、前記端子対応開口１１５ａは、略楕円状又は長円状の平面形状を備え、開口部１５４よりは大きいが平板状端子１５１の外形よりは小さい程度の大きさに形成される。
【００５８】
また、補強層１１６にも、各平板状端子１５１の開口部１５４に対応する位置に、端子対応開口１１６ａが形成されている。つまり、端子対応開口１１６ａは、平板状端子１５１と同様に、２本の列内において互いに半ピッチずれて千鳥状となるように配列されている。前記端子対応開口１１６ａは、補強層１１６を板厚方向に貫通する。また、前記端子対応開口１１６ａは、略楕円状又は長円状の平面形状を備え、開口部１５４よりは大きいが平板状端子１５１の外形よりは小さい程度の大きさに形成される。
【００５９】
さらに、前記補強層１１６の左右両側には、幅方向外側に延出するコネクタ係合耳部１１３が一体的に形成されている。該コネクタ係合耳部１１３は、雌コネクタ１０１が雄コネクタ１と嵌合すると該雄コネクタ１のコネクタ係合凹部１３と係合する部材であり、雌コネクタ１０１が雄コネクタ１から離脱することを防止する。なお、前記コネクタ係合耳部１１３の後端（ケーブル部１１２側端）には、凹入する抜止め部１１３ｂ、及び、該抜止め部１１３ｂを覆うような庇状の抜止め凸部１１３ａが形成される。前記コネクタ係合耳部１１３がコネクタ係合凹部１３と係合した状態で、雌コネクタ１０１を雄コネクタ１に対して該雄コネクタ１の前端１１ａの方向に相対的にスライドさせると、前記抜止め凸部１１３ａ及び抜止め部１１３ｂがコネクタ係合凹部１３の抜止め凹部１３ａ及び抜止め部１３ｂと係合し、コネクタ係合耳部１１３がコネクタ係合凹部１３から離脱することを防止する。
【００６０】
次に、前記構成の雄コネクタ１と雌コネクタ１０１とを嵌合する動作について説明する。
【００６１】
図７は本発明の第１の実施の形態における雄コネクタと雌コネクタとが嵌合した状態を示す斜視図、図８は本発明の第１の実施の形態における雄コネクタの雄端子と雌コネクタの雌端子との接続状態を示す図である。なお、図８において、（ａ）は補強層を除去した雌コネクタ側の平面の要部拡大図、（ｂ）は（ａ）におけるＢ−Ｂ矢視断面図である。
【００６２】
オペレータは、雄コネクタ１の嵌合面（図１における上側の面）と雌コネクタ１０１の嵌合面（図３における上側の面）とを対向させた状態として、雌コネクタ１０１を雄コネクタ１に対して相対的に下降させ、すなわち、嵌合方向に移動させ、雄コネクタ１の嵌合面と雌コネクタ１０１の嵌合面とを当接又は近接させる。これにより、雌コネクタ１０１の左右のコネクタ係合耳部１１３が、雄コネクタ１の左右のコネクタ係合凹部１３に進入するとともに、雄コネクタ１の突出端子５３の各々が、雌コネクタ１０１の対応する平板状端子１５１の開口部１５４における大径部１５４ａ内に進入する。該大径部１５４ａの内側寸法が突出端子５３の先端部５３ｂの外側寸法よりも大きく形成されているので、突出端子５３は大径部１５４ａ内にスムーズに進入することができる。
【００６３】
続いて、オペレータは、雌コネクタ１０１を雄コネクタ１に対して該雄コネクタ１の前端１１ａの方向に相対的にスライドさせる。すなわち、雄コネクタ１の嵌合面と雌コネクタ１０１の嵌合面とを当接又は接近させた状態で雌コネクタ１０１を雄コネクタ１に対して該雄コネクタ１の前方に相対的に前進させる。この場合、各突出端子５３が対応する平板状端子１５１の開口部１５４に進入しているとともに、左右のコネクタ係合耳部１１３が左右のコネクタ係合凹部１３内に進入した状態でスライドしてガイドするので、雄コネクタ１に対する雌コネクタ１０１の姿勢が乱れることがない。
【００６４】
そして、図７及び８に示されるように、雄コネクタ１と雌コネクタ１０１との嵌合が完了すると、各突出端子５３が対応する平板状端子１５１の開口部１５４における小径部１５４ｂに進入する。なお、雄コネクタ１と雌コネクタ１０１との嵌合作業中及び嵌合が完了したときに、突出端子５３の先端部５３ｂは、雌コネクタ１０１の実装面（反嵌合側の面）に突出することはない。すなわち、突出端子５３の先端部５３ｂは、補強層１１６の外面よりも嵌合面寄りに位置する。
【００６５】
これにより、平板状端子１５１において、両側の腕部１５３の間隔は、突出端子５３の側面部５３ｃに当接して押広げられる。そして、腕部１５３のばね性によって、腕部１５３は突出端子５３の側面部５３ｃに押圧され、両側の腕部１５３が突出端子５３の側面部５３ｃを弾性的に挟持する。これにより、突出端子５３と対応する平板状端子１５１とが確実に接触して導通する。
【００６６】
さらに、図７及び８に示されるように、雄コネクタ１と雌コネクタ１０１との嵌合が完了すると、コネクタ係合耳部１１３の抜止め凸部１１３ａがコネクタ係合凹部１３の抜止め凹部１３ａ内に収容されて保持される。これにより、雄コネクタ１と雌コネクタ１０１との嵌合解除が確実に防止される。
【００６７】
なお、雄コネクタ１と雌コネクタ１０１との嵌合を解除する動作については、雄コネクタ１と雌コネクタ１０１とを嵌合させるための動作と逆の動作にすぎないので、説明を省略する。
【００６８】
また、本実施の形態においては、導体パターン５１及び平板状端子１５１の列が２本である場合について説明したが、前記列の数は、２本に限定されるものでなく、複数であれば何本であってもよい。そして、一つの列の導体パターン５１と隣接する列の導体パターン５１とは本体部１１の幅方向の位置がずれていればよく、一つの列の平板状端子１５１と隣接する列の平板状端子１５１とは本体部１１１の幅方向の位置がずれていればよい。
【００６９】
さらに、本実施の形態においては、平板状端子１５１のみが配線１６１に接続されている場合について説明したが、導体パターン５１が配線に接続されていてもよい。すなわち、雄コネクタ１及び雌コネクタ１０１の少なくとも一方の端子部材が平行な配線の先端に接続されていればよい。
【００７０】
このように、本実施の形態において、コネクタは、平板状の本体部１１及び本体部１１に配設された複数の導体パターン５１を備える雄コネクタ１と、平板状の本体部１１１及び本体部１１１に配設された複数の平板状端子１５１を備え、雄コネクタ１と嵌合する雌コネクタ１０１とを有する。そして、雄コネクタ１の各導体パターン５１は突出端子５３を含み、雌コネクタ１０１の各平板状端子１５１は突出端子５３を収容可能な開口部１５４を含み、導体パターン５１及び平板状端子１５１は、本体部１１及び１１１の幅方向に一定のピッチで並んで複数の列を形成し、隣接する列の導体パターン５１及び平板状端子１５１とは幅方向の位置がずれるように配列され、雄コネクタ１又は雌コネクタ１０１の少なくとも一方の導体パターン５１又は平板状端子１５１は、本体部１１又は１１１において導体パターン５１又は平板状端子１５１とは相違する層に配設された複数の平行な配線１６１の先端に接続される。
【００７１】
これにより、導体パターン５１及び平板状端子１５１のピッチを狭くしても、隣接する導体パターン５１同士及び平板状端子１５１同士が接触する恐れがない。また、導体パターン５１又は平板状端子１５１と配線１６１とが干渉する恐れもない。したがって、高密度でありながら、信頼性の高いコネクタを提供する。また、製造が容易で、構成が簡素で、雄コネクタ１及び雌コネクタ１０１のコストを低減することができ、かつ、雄コネクタ１及び雌コネクタ１０１を小型低背化することができる。
【００７２】
また、配線１６１は本体部１１１の前後方向に延在し、前方の列の平板状端子１５１に接続された配線１６１は、平面視において、後方の列の互いに隣接する平板状端子１５１同士の間を通過する。したがって、平板状端子１５１のピッチを狭くすることができる。
【００７３】
さらに、配線１６１の先端に接続される平板状端子１５１が配設された層と、配線１６１が配設された層との間には、少なくとも一つの絶縁層であるカバーフィルム１１７が存在する。したがって、平板状端子１５１と他の平板状端子１５１に接続された配線１６１とが導通する恐れがない。
【００７４】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００７５】
図９は本発明の第２の実施の形態における雌コネクタを示す斜視図、図１０は本発明の第２の実施の形態における雌コネクタの層構造を示す分解図である。
【００７６】
本実施の形態において、雌コネクタ１０１は、プリント回路基板、フレキシブルフラットケーブル、フレキシブル回路基板等の実装部材に実装されるものとして説明する。
【００７７】
図に示される例において、雌コネクタ１０１は、平面形状が矩形の平板状の本体部１１１を有するが、前記第１の実施の形態とは異なり、ケーブル部１１２は、前記本体部１１１に接続されていない。そして、該本体部１１１は、反嵌合面側（図９における下側）から、平面形状が略Ｌ字状の一対の補強層１１６、平面形状が略矩形の複数の平板状端子１５１、細長い帯状の形状を備え、前記平板状端子１５１を被覆するカバーフィルム１１７、及び、略コ字状の平面形状を備える枠部材１１８を有する。
【００７８】
また、前記平板状端子１５１の側方には、一対の補助金具１５６が配設されている。該補助金具１５６は、前記平板状端子１５１とともに形成されたものであって、略矩形の平面形状を備え、かつ、板厚方向に貫通するコネクタ係合孔部１５７を備え、平板状端子１５１から分離して本体部１１１の横方向（幅方向）両端に配設されている。そして、前記本体部１１１の反嵌合面においては、前記補助金具１５６の裏面少なくとも一部分が露出し、該一部分は、基板の表面に形成された固定用パッドにはんだ付等によって接続される。これにより、雌コネクタ１０１は基板に強固に取付けられる。
【００７９】
前記平板状端子１５１は、前記第１の実施の形態と同様に、例えば、あらかじめカバーフィルム１１７の一面に貼付された厚さが数〔μｍ〕〜数１０〔μｍ〕の銅箔にエッチング加工等を施してパターニングすることによって形成されたものであって、雌コネクタ１０１の横方向（幅方向）に延在する本体部１１１の前端１１１ａに沿った列と後端１１１ｂに沿った列とを形成するように並んで配設され、列同士及び各列内における隣接する平板状端子１５１同士は、互いに分離され、所定のピッチで配列されている。なお、該ピッチは、前記雄コネクタ１の導体パターン５１のピッチ及び配線１６１のピッチと等しくなるように設定される。
【００８０】
そして、前端１１１ａに沿った列と後端１１１ｂに沿った列とは、雌コネクタ１０１の横方向に関し、前記ピッチの１／２だけずれるように配設されている。すなわち、前端１１１ａに沿った列内における平板状端子１５１と後端１１１ｂに沿った列内における平板状端子１５１とは、雌コネクタ１０１の横方向に関し、互いに半ピッチずれて千鳥状となるように配列されている。
【００８１】
各平板状端子１５１は、前記第１の実施の形態と同様の平面形状を備える開口部１５４、及び、該開口部１５４の左右両側を画定する第１端子部材としての腕部１５３を有するとともに、左右対称、すなわち、線対称の平面形状を有する。なお、前記開口部１５４は、平板状端子１５１を板厚方向に貫通する。
【００８２】
さらに、各平板状端子１５１は、本体部１１１の短手方向に延出するテール部１５８を備える。各テール部１５８は、本体部１１１の前端１１１ａ及び後端１１１ｂよりも外側に突出し、図示されない基板の表面に形成された接続パッドにはんだ付等によって接続される。これにより、雌コネクタ１０１は基板に取付けられ、かつ、平板状端子１５１は基板の接続パッドと電気的に接続された状態となる。
【００８３】
前記カバーフィルム１１７には、各平板状端子１５１の開口部１５４及び各補助金具１５６のコネクタ係合孔部１５７に対応する位置に、端子対応開口１１７ａ及び側方開口１１７ｃが形成されている。つまり、端子対応開口１１７ａは、平板状端子１５１と同様に、２本の列内において互いに半ピッチずれて千鳥状となるように配列されている。前記端子対応開口１１７ａ及び側方開口１１７ｃは、カバーフィルム１１７を板厚方向に貫通する。また、前記端子対応開口１１７ａは、平板状端子１５１の開口部１５４と同様の平面形状及び同様の大きさに形成され、前記側方開口１１７ｃは、補助金具１５６のコネクタ係合孔部１５７よりも十分に大きな矩形の平面形状を備える。
【００８４】
前記枠部材１１８は、例えば、ステンレス鋼等の金属から成るが、その材質は、樹脂であってもよいし、ガラス繊維、炭素繊維等を含む複合材であってもよいし、いかなる種類のものであってもよい。そして、前記枠部材１１８の端部１１８ａには、コネクタ係合凹部１１９が形成され、該コネクタ係合凹部１１９内に前記コネクタ係合孔部１５７及び側方開口１１７ｃが位置する。なお、前記コネクタ係合凹部１１９における本体部１１１の前端１１１ａ寄りの部分に、庇状の抜止め部１１９ｂ、及び、該抜止め部１１９ｂに覆われた抜止め凹部１１９ａが形成される。
【００８５】
なお、前記雌コネクタ１０１におけるその他の点の構成については、前記第１の実施の形態と同様であるので、その説明を省略する。
【００８６】
次に、本実施の形態における雄コネクタ１の構成について説明する。
【００８７】
図１１は本発明の第２の実施の形態における雄コネクタを示す斜視図、図１２は本発明の第２の実施の形態における雄コネクタの層構造を示す分解図、図１３は本発明の第２の実施の形態における雄コネクタの雄端子と配線との平面状の位置関係を示す図、図１４は本発明の第２の実施の形態における雄コネクタの雄端子と配線との接続関係を示す図である。なお、図１４において、（ａ）は補強層を除去した接続部の下面の要部拡大図、（ｂ）は（ａ）におけるＣ−Ｃ矢視断面図である。
【００８８】
本実施の形態において、雄コネクタ１は、フレキシブルフラットケーブル、フレキシブル回路基板等の平板状ケーブルの先端に直接に形成されるもの、又は、接続部材を介して接続されるものであるとして説明する。
【００８９】
図に示される例において、雄コネクタ１は、平板状のケーブル部１２と、該ケーブル部１２の先端に形成又は接続された接続部としての平板状の本体部１１とを有する。そして、該本体部１１は、反嵌合面側（図１１における下側）から、補強層１６、前記ケーブル部１２と共通の絶縁性の薄板部材から成るのベースフィルム１５、該ベースフィルム１５の一面（図１２における上面）に並列に配設された複数本の導電線としての配線６１、前記ケーブル部１２と共通の絶縁性の薄板部材から成り、前記配線６１を被覆する板状の第２被覆部である雄被覆部としてのカバーフィルム１７、及び、複数の平板状の導体パターン５１を有する。
【００９０】
前記配線６１の各々は、平板状ケーブルの対応する導電トレースに電気的に接続されている。なお、前記本体部１１は、厚さ方向の寸法が約０．３〜０．５〔ｍｍ〕程度であるが、その寸法は適宜変更することができる。また、前記ベースフィルム１５及びカバーフィルム１７は、例えば、ポリイミド等の樹脂から成るが、絶縁性を備えるものであれば、いかなる種類の材質であってもよい。
【００９１】
そして、前記配線６１は、例えば、あらかじめベースフィルム１５の一面に貼付された厚さが数〔μｍ〕〜数１０〔μｍ〕の銅箔にエッチング加工等を施してパターニングすることによって形成されたものであって、互いに平行となるように所定のピッチで配列されている。
【００９２】
また、前記導体パターン５１は、例えば、あらかじめカバーフィルム１７の一面に貼付された厚さが数〔μｍ〕〜数１０〔μｍ〕の銅箔にエッチング加工等を施してパターニングすることによって形成されたものであって、雄コネクタ１の横方向（幅方向）に延在する本体部１１の前端１１ａに沿った列とケーブル部１２寄りの列とを形成するように並んで配設され、列同士及び各列内における隣接する導体パターン５１同士は、互いに分離され、所定のピッチで配列されている。なお、該ピッチは、前記雌コネクタ１０１の平板状端子１５１のピッチ及び配線６１のピッチと等しくなるように設定される。
【００９３】
そして、前端１１ａに沿った列とケーブル部１２寄りの列とは、雄コネクタ１の横方向に関し、前記ピッチの１／２だけずれるように配設されている。すなわち、前端１１ａに沿った列内における導体パターン５１とケーブル部１２寄りの列内における導体パターン５１とは、雄コネクタ１の横方向に関し、互いに半ピッチずれて千鳥状となるように配列されている。
【００９４】
各導体パターン５１は、雄端子としての突出端子５３、及び、端子接続部としての端子接続孔５１ａを１つずつ有するとともに、左右対称、すなわち、線対称の平面形状を有する。各導体パターン５１の対称軸は、平面視において、対応する配線６１の中心軸と一致し、端子接続孔５１ａの中心も対応する配線６１の中心軸上に位置する。
【００９５】
前記カバーフィルム１７には、各導体パターン５１の端子接続孔５１ａに対応する位置に、スルーホール１７ｂが形成されている。つまり、スルーホール１７ｂは、導体パターン５１と同様に、２本の列内において互いに半ピッチずれて千鳥状となるように配列されている。前記スルーホール１７ｂは、カバーフィルム１７を板厚方向に貫通する。
【００９６】
また、各配線６１の先端には、略円形の接続端部６２が形成され、該接続端部６２には配線接続部としての配線接続孔６２ａが形成されている。該配線接続孔６２ａは、その中心が配線６１の中心軸上に位置し、配線６１を板厚方向に貫通する。また、各配線６１は、その配線接続孔６２ａが対応する導体パターン５１の端子接続孔５１ａ及びカバーフィルム１７のスルーホール１７ｂに対応する位置となるように配設されている。
【００９７】
そして、カバーフィルム１７の上面側、すなわち、嵌合側の第１番目の層に属する各導体パターン５１の端子接続孔５１ａは、スルーホール１７ｂを通過する導通部材６８を介して、カバーフィルム１７の下面側、すなわち、嵌合側の第３番目の層に属する対応する配線６１の配線接続孔６２ａと導通されている。つまり、突出端子５３を含む導体パターン５１と配線６１とは、雄コネクタ１の相違する層上に配設され、導通部材６８を介して、互いに電気的に接続されている。
【００９８】
前記導通部材６８は、金属等の導電性の良好な材料から成る部材であって、端子接続孔５１ａ及び配線接続孔６２ａとに電気的に接続される部材であれば、いかなる種類のものであってもよい。例えば、上下両端が端子接続孔５１ａ及び配線接続孔６２ａに圧着又は嵌合された円柱状の金属部材であってもよいし、溶融状態で端子接続孔５１ａ、スルーホール１７ｂ及び配線接続孔６２ａ内に充填された後に冷却固化することによって上下両端が端子接続孔５１ａ及び配線接続孔６２ａに溶着した金属部材であってもよいし、あらかじめスルーホール１７ｂの内面に塗布された後の加熱によるリフロー工程によって上下両端が端子接続孔５１ａ及び配線接続孔６２ａに溶着したはんだであってもよい。
【００９９】
また、前記配線６１の接続端部６２及び配線接続孔６２ａは、２本の列内において互いに半ピッチずれて千鳥状となるように配列された導体パターン５１に対応するように配列されている。したがって、前記配線６１は、その先端である接続端部６２が本体部１１の前端１１ａに近い位置にある長い配線６１と、接続端部６２が本体部１１の前端１１ａから遠い位置にある短い配線６１とが交互に並ぶように、配列されている。そして、図１３及び１４に示されるように、長い配線６１は、平面視において、ケーブル部１２寄りの列における互いに隣接する導体パターン５１同士の間を通過する。しかし、導体パターン５１と配線６１とは雄コネクタ１の相違する層上に配設されているので、ケーブル部１２寄りの列における導体パターン５１と該導体パターン５１の間を通る長い配線６１とが導通することはない。
【０１００】
さらに、前記補強層１６の左右両側には、幅方向外側に延出するコネクタ係合耳部１９が一体的に形成されている。該コネクタ係合耳部１９は、雄コネクタ１が雌コネクタ１０１と嵌合すると該雌コネクタ１０１のコネクタ係合凹部１１９と係合する部材であり、雄コネクタ１が雌コネクタ１０１から離脱することを防止する。なお、前記コネクタ係合耳部１９の後端（ケーブル部１２側端）には、凹入する抜止め部１９ｂ、及び、該抜止め部１９ｂを覆うような庇状の抜止め凸部１９ａが形成される。前記コネクタ係合耳部１９がコネクタ係合凹部１１９と係合した状態で、雄コネクタ１を雌コネクタ１０１に対して該雌コネクタ１０１の前端１１１ａの方向に相対的にスライドさせると、前記抜止め凸部１９ａ及び抜止め部１９ｂがコネクタ係合凹部１１９の抜止め凹部１１９ａ及び抜止め部１１９ｂと係合し、コネクタ係合耳部１９がコネクタ係合凹部１１９から離脱することを防止する。
【０１０１】
また、カバーフィルム１７の一面におけるコネクタ係合耳部１９に対応する位置には、コネクタ係合突起部５７が配設されている。該コネクタ係合突起部５７は、例えば、導体パターン５１の突出端子５３と同様の方法で、形成することができる。前記コネクタ係合突起部５７は、雄コネクタ１が雌コネクタ１０１と嵌合すると該雌コネクタ１０１のコネクタ係合孔部１５７と係合する部材であり、雄コネクタ１の雌コネクタ１０１に対する位置決めを行う。
【０１０２】
次に、前記構成の雄コネクタ１と雌コネクタ１０１とを嵌合する動作について説明する。
【０１０３】
図１５は本発明の第２の実施の形態における雄コネクタと雌コネクタとが嵌合した状態を示す斜視図、図１６は本発明の第２の実施の形態における雄コネクタの雄端子と雌コネクタの雌端子との接続状態を示す図である。なお、図１６において、（ａ）は補強層を除去した雄コネクタ側の平面の要部拡大図、（ｂ）は（ａ）におけるＤ−Ｄ矢視断面図である。
【０１０４】
オペレータは、雄コネクタ１の嵌合面（図１１における上側の面）と雌コネクタ１０１の嵌合面（図９における上側の面）とを対向させた状態として、雄コネクタ１を雌コネクタ１０１に対して相対的に下降させ、すなわち、嵌合方向に移動させ、雄コネクタ１の嵌合面と雌コネクタ１０１の嵌合面とを当接又は近接させる。これにより、雄コネクタ１の左右のコネクタ係合耳部１９が雌コネクタ１０１の左右のコネクタ係合凹部１１９に進入するとともに、雄コネクタ１の左右のコネクタ係合突起部５７が雌コネクタ１０１の左右のコネクタ係合孔部１５７に進入し、さらに、雄コネクタ１の突出端子５３の各々が、雌コネクタ１０１の対応する平板状端子１５１の開口部１５４における大径部１５４ａ内に進入する。該大径部１５４ａの内側寸法が突出端子５３の先端部５３ｂの外側寸法よりも大きく形成されているので、突出端子５３は大径部１５４ａ内にスムーズに進入することができる。
【０１０５】
続いて、オペレータは、雄コネクタ１を雌コネクタ１０１に対して該雌コネクタ１０１の前端１１１ａの方向に相対的にスライドさせる。すなわち、雄コネクタ１の嵌合面と雌コネクタ１０１の嵌合面とを当接又は接近させた状態で雄コネクタ１を雌コネクタ１０１に対して該雌コネクタ１０１の前方に相対的に前進させる。この場合、各突出端子５３が対応する平板状端子１５１の開口部１５４に進入しているとともに、左右のコネクタ係合突起部５７が左右のコネクタ係合孔部１５７内に進入した状態でスライドしてガイドするので、雌コネクタ１０１に対する雄コネクタ１の姿勢が乱れることがない。
【０１０６】
そして、図１５及び１６に示されるように、雄コネクタ１と雌コネクタ１０１との嵌合が完了すると、各突出端子５３が対応する平板状端子１５１の開口部１５４における小径部１５４ｂに進入する。なお、雄コネクタ１と雌コネクタ１０１との嵌合作業中及び嵌合が完了したときに、突出端子５３の先端部５３ｂは、雌コネクタ１０１の実装面（反嵌合側の面）に突出することはない。すなわち、突出端子５３の先端部５３ｂは、補強層１１６の外面（実装面側の面）よりも嵌合面寄りに位置する。
【０１０７】
これにより、平板状端子１５１において、両側の腕部１５３の間隔は、突出端子５３の側面部５３ｃに当接して押広げられる。そして、腕部１５３のばね性によって、該腕部１５３は突出端子５３の側面部５３ｃに押圧され、両側の腕部１５３が突出端子５３の側面部５３ｃを弾性的に挟持する。これにより、突出端子５３と対応する平板状端子１５１とが確実に接触して導通する。
【０１０８】
さらに、雄コネクタ１と雌コネクタ１０１との嵌合が完了すると、コネクタ係合耳部１９の抜止め凸部１９ａがコネクタ係合凹部１１９の抜止め凹部１１９ａ内に収容されて保持される。これにより、雄コネクタ１と雌コネクタ１０１との嵌合解除が確実に防止される。
【０１０９】
なお、雄コネクタ１と雌コネクタ１０１との嵌合を解除する動作については、雄コネクタ１と雌コネクタ１０１とを嵌合させるための動作と逆の動作にすぎないので、説明を省略する。
【０１１０】
また、本実施の形態においては、導体パターン５１及び平板状端子１５１の列が２本である場合について説明したが、前記列の数は、２本に限定されるものでなく、複数であれば何本であってもよい。そして、一つの列の導体パターン５１と隣接する列の導体パターン５１とは本体部１１の幅方向の位置がずれていればよく、一つの列の平板状端子１５１と隣接する列の平板状端子１５１とは本体部１１１の幅方向の位置がずれていればよい。
【０１１１】
さらに、本実施の形態においては、導体パターン５１のみが配線６１に接続されている場合について説明したが、平板状端子１５１が配線に接続されていてもよい。すなわち、雄コネクタ１及び雌コネクタ１０１の少なくとも一方の端子部材が平行な配線の先端に接続されていればよい。
【０１１２】
さらに、本実施の形態においては、平面視において、導体パターン５１と配線６１とがオーバーラップしていないが、導体パターン５１の一部が配線６１とオーバーラップするようにしてもよい。
【０１１３】
その他の点の動作及び効果については、前記第１の実施の形態と同様であるので、その説明を省略する。
【０１１４】
なお、本発明は前記実施の形態に限定されるものではなく、本発明の趣旨に基づいて種々変形させることが可能であり、それらを本発明の範囲から排除するものではない。
【産業上の利用可能性】
【０１１５】
本発明は、コネクタに適用することができる。
【符号の説明】
【０１１６】
１    雄コネクタ
１１、１１１    本体部
１１ａ、１１１ａ    前端
１１ｂ、１１１ｂ    後端
１２、１１２    ケーブル部
１３、１１９    コネクタ係合凹部
１３ａ、１１９ａ    抜止め凹部
１３ｂ、１９ｂ、１１３ｂ、１１９ｂ    抜止め部
１５、１１５    ベースフィルム
１６、１１６    補強層
１７、１１７    カバーフィルム
１７ｂ、１１７ｂ    スルーホール
１８    係合補強板
１８ａ    入口凹部
１８ｂ    接合層
１９、１１３    コネクタ係合耳部
１９ａ、１１３ａ    抜止め凸部
５１    導体パターン
５１ａ、１５１ａ    端子接続孔
５２    パターン分離空間
５３、８５３    突出端子
５３ａ    基端部
５３ｂ    先端部
５３ｃ    側面部
５６、１５６    補助金具
５６ａ    凹入部
５６ｂ    固定用耳部
５７    コネクタ係合突起部
６１、１６１    配線
６２、１６２    接続端部
６２ａ、１６２ａ    配線接続孔
６８、１６８    導通部材
１０１    雌コネクタ
１１２ａ    ケーブル補強層
１１５ａ、１１６ａ、１１７ａ    端子対応開口
１１７ｃ    側方開口
１１８    枠部材
１１８ａ    端部
１５１    平板状端子
１５２    端子分離空間
１５３、９５３    腕部
１５４    開口部
１５４ａ    大径部
１５４ｂ    小径部
１５７    コネクタ係合孔部
１５８、９５８    テール部
８１１    雄側基体
９１１    雌側基体
９５１    雌側電極パターン
９５４    端子収容開口
９５４ａ    内側開口
【図１】
2013251093.tif 000003
【図２】
2013251093.tif 000004
【図３】
2013251093.tif 000005
【図４】
2013251093.tif 000006
【図５】
2013251093.tif 000007
【図６】
2013251093.tif 000008
【図７】
2013251093.tif 000009
【図８】
2013251093.tif 000010
【図９】
2013251093.tif 000011
【図１０】
2013251093.tif 000012
【図１１】
2013251093.tif 000013
【図１２】
2013251093.tif 000014
【図１３】
2013251093.tif 000015
【図１４】
2013251093.tif 000016
【図１５】
2013251093.tif 000017
【図１６】
2013251093.tif 000018
【図１７】
2013251093.tif 000019